(57)【要約】【課題】用紙に吐出された接着剤を伸ばす接着剤伸ばし部材を洗浄することで良好な製本を達成するための接着剤伸ばし部材の洗浄装置及び洗浄方法を提供するものである。【解決手段】水供給手段３２によって水を吸着させた接着剤拭取り部材２４にスキージローラ１６を接触させ、その接触状態を保ちながらスキージローラ１６を回転させると共にスキージローラ１６に対して接着剤拭取り部材２４を相対的に移動させる。これによって、スキージローラ１６に付着した接着剤を水を含んで移動する接着剤拭取り部材２４に付着させ、スキージローラ１６を洗浄することができる。【選択図】図１
2005119025.tif 000002
【特許請求の範囲】
【請求項１】
用紙の上に吐出した接着材を用紙上で伸ばすための接着剤伸ばし部材に付着した接着剤を洗浄するものであって、水を吸着する素材から成る接着剤拭取り部材と、その接着剤拭取り部材を供給する供給手段と、その供給手段から供給された前記接着剤拭取り部材を取り入れる取入手段と、前記供給手段から前記取入手段へ前記接着剤拭取り部材を移動させるための移動手段と、前記供給手段と前記取入手段との間で前記接着剤拭取り部材に水を付与する水付与手段と、水を付与した箇所の前記接着剤拭取り部材に前記接着剤伸ばし部材を接触させた状態で前記接着剤伸ばし部材を回転させる第一作動手段を有することを特徴とする製本装置に使用する接着伸ばし手段の洗浄装置。
【請求項２】
前記接着剤伸ばし部材にプーリを固定し、前記第一作動手段が前記プーリに接触するプーリと、そのプーリを回転させる駆動手段とから成ることを特徴とする請求項１記載の製本装置に使用する接着剤伸ばし部材の洗浄装置。
【請求項３】
前記接着剤伸ばし部材が前記接着剤拭取り部材と接触した状態で回転する位置において前記接着剤拭取り部材の下側に前記接着剤拭取り部材を前記接着剤伸ばし部材とで挟持する拭取り用支持台を備えることを特徴とする請求項１記載の本装置に使用する接着剤伸ばし部材の洗浄装置。
【請求項４】
前記水付与手段が、水を収容した容器と、水に接触する第一ローラと、水に直接接触しないものであって一方をその第一ローラと直接または間接に接触し他方を前記接着剤拭取り部材の下面に接触する第二ローラとから成ることを特徴とする請求項１記載の製本装置に使用する接着剤伸ばし部材の洗浄装置。
【請求項５】
前記水付与手段と前記供給手段との間における前記接着剤拭取り部材に前記接着剤伸ばし部材を接触させた状態で前記接着剤伸ばし部材を回転させる第二作動手段を有することを特徴とする請求項１記載の製本装置に使用する接着剤伸ばし部材の洗浄装置。
【請求項６】
前記接着剤伸ばし部材にプーリを固定し、前記第二作動手段が前記プーリに接触するプーリと、そのプーリを回転させる駆動手段とから成ることを特徴とする請求項５記載の製本装置に使用する接着剤伸ばし部材の洗浄装置。
【請求項７】
前記水付与手段と前記供給手段との間における前記接着剤拭取り部材に前記接着剤伸ばし部材を接触させた状態で前記接着剤伸ばし部材を回転させる位置において、前記接着剤拭取り部材の下側に前記接着剤拭取り部材を前記接着剤伸ばし部材とで挟持する乾燥用支持台を備えることを特徴とする請求項５記載の本装置に使用する接着剤伸ばし部材の洗浄装置。
【請求項８】
用紙の上に吐出した接着材を用紙上で伸ばすための接着剤伸ばし部材に付着した接着剤を洗浄するものであって、水を吸着する素材から成る接着剤拭取り部材に水を付着させ、水を付着させた箇所の接着剤拭取り部材に前記接着剤伸ばし部材を接触させた状態で前記接着剤伸ばし部材を回転させると共に前記接着剤拭取り部材を前記接着剤伸ばし部材に対して移動させることを特徴とする製本装置に使用する接着剤の洗浄方法。
【請求項９】
前記接着剤伸ばし部材が前記接着剤拭取り部材と接触した状態で回転する位置において、前記接着剤拭取り部材の下側に備えた拭取り用支持台と前記接着剤伸ばし部材とで前記接着剤拭取り部材を挟持することを特徴とする請求項８記載の本装置に使用する接着剤伸ばし部材の洗浄方法。
【請求項１０】
前記接着剤拭取り部材に水を付着させる手段が、水を収容した容器と、水に接触するローラと、そのローラと直接または間接に接触し前記接着剤拭取り部材の下面に接触するローラとから成ることを特徴とする請求項８記載の本装置に使用する接着剤伸ばし部材の洗浄方法。
【請求項１１】
水を付着させた箇所の接着剤拭取り部材に前記接着剤伸ばし部材を接触させた状態で前記接着剤伸ばし部材を回転させた後、前記接着剤拭取り部材のうちの水を未だ付着させない箇所に前記接着剤伸ばし部材を接触させ、その接触位置で前記接着剤伸ばし部材を回転させると共に前記接着剤拭取り部材を前記接着剤伸ばし部材に対して移動させることを特徴とする請求項８記載の製本装置に使用する接着剤の洗浄方法。
【請求項１２】
前記接着剤伸ばし部材が前記水付与手段と前記供給手段との間で前記接着剤拭取り部材と接触した状態で回転する位置において、前記接着剤拭取り部材の下側に備えた乾燥用支持台と前記接着剤伸ばし部材とで前記接着剤拭取り部材を挟持する乾燥用支持台を備えることを特徴とする請求項１１記載の本装置に使用する接着剤伸ばし部材の洗浄方法。
【発明の詳細な説明】
【技術分野】
【０００１】
本発明は、製本装置に使用する接着剤伸ばし部材を洗浄する装置と方法に関する。
【背景技術】
【０００２】
従来から、建築関係等をはじめとする各種の分野では、関係図面のコピーや印刷物を製本し、その製本を行政や顧客や作業現場へ提出または配布している。このため、コピーや印刷を施した用紙を用いて製本を行う製本装置が特許文献１に提供されている。
【特許文献１】特許第２９６５９６７号（第４頁、図５−６）
【０００３】
特許文献１に示されている製本装置では、用紙の片面（裏面）の全域に乾式の加圧接着剤を予め塗布した特殊用紙を使用する。この特殊用紙のもう一方の面にコピーや印刷を施し、コピーや印刷等を行った面を内側にして特殊用紙を二つに折り曲げて加圧接着剤を施した面を外側に露出させる。製本装置では、二つに折り曲げた特殊用紙を１枚ずつ順に内部に搬送し、内部に搬送した特殊用紙を１枚ずつ製本装置の所定の位置に積層させる。新たに載せられた特殊用紙を積層物の上から加圧することで、新たに載せられた特殊用紙と積層物の一番上の特殊用紙との接着剤同士が加圧によって接着される。この作業を繰り返すことで、見開きの両頁で一枚の特殊用紙に施したコピーや印刷を表示する本を作成することができる。
【０００４】
この特許文献１に示す製本装置を使用するものにおいては、片面の全域に乾式の加圧接着剤を予め塗布した特殊用紙を使用しなければならない。即ち、加圧接着剤を予め塗布していない用紙を使用してコピーや印刷したものでは、製本することができないという欠点があった。更に、片面の全域に乾式の加圧接着剤を予め塗布した特殊用紙を使用する場合には、用紙のコストが高く、製本全体の費用が高くなるという欠点があった。
【０００５】
このため、本願発明者は、片面の全域に乾式の加圧接着剤を予め塗布した特殊用紙に代えて、普通紙を用いて製本を行う製本装置と製本方法とを考えるに至った。普通紙を用いて製本を行う場合には、コピーや印刷を行った面を内側にして普通紙を二つに折り曲げて、製本装置内に１枚ずつ順に積層物の上に積重ねられるところまでは従来と同じであるが、新たに積重ねられた二つ折りの普通紙の上に糊等の接着剤を塗布するものである。即ち、積層物の上面に糊を塗った後、その上に新たに投入された二つ折りの普通紙を積重ねる。この作業を繰り返すことによって、普通紙を用いた製本を行うことが可能になる。
【発明の開示】
【発明が解決しようとする課題】
【０００６】
普通紙を用いて製本する製本装置では、積層物の上に１枚ずつ新たに積重ねられた二つ折りの普通紙の上に糊等の接着剤を塗布することから、接着剤塗布手段と接着剤伸ばし部材とを備えている。製本時には、積層物の上に普通紙が載せられる度に、接着剤塗布手段を積層物の上方において直線方向に走行させ、積層物の上に新たに載せられた普通紙の上に糊を直線的にあるいは直線方向に間欠的に塗布する。塗布された糊は普通紙の上で塊となるので、その後、接着剤伸ばし部材によって普通紙の上に塗布された糊を平らに伸ばし、糊による紙表面の凹凸の発生を防ぐようにしている。
【０００７】
ここで、普通紙の上に吐出した糊を普通紙の上に伸ばす作業について、図４に基づいて説明する。積層物の上に載せられた用紙１０の上に縁１２からやや離れた位置でその縁１２と平行に間欠的に、図示しない接着剤吐出手段によって糊（接着剤）１４を吐出する。用紙１０の上に糊１４が円形に塗布された後、接着剤伸ばし部材としてのスキージローラ１６を用紙１０の上面に接触した状態で回転しながらＡ方向にＸ−Ｘ線位置（用紙１０の縁１２を越えた位置）まで移動させる。スキージローラ１６が用紙１０の上を回転移動することによって、用紙１０の上に吐出された糊１４は、一点鎖線に示すように用紙１０の縁１２と平行な方向に広げられると共にスキージローラ１６の進行方向に縁１２まで伸ばされる。Ｘ−Ｘ位置まで移動した後、スキージローラ１６は上昇し、その後Ａ方向とは逆方向に移動し、元の位置に戻される。その後、積層物の上に新たな用紙１０が載せられて糊１４が用紙１０の上に吐出されると、スキージローラ１６が再び用紙１０の上に吐出された糊１４を伸ばす。製本時には、この作業を繰り返す。
【０００８】
スキージローラ１６は、柔らかいシリコンゴム等の素材から成り、スキージローラ１６の表面には製本作業の間に糊が大量に付着する。製本作業が終了した後にスキージローラ１６をそのまま放置すると、スキージローラ１６に付着した糊がその表面にいびつに固まる。この結果、用紙１０の上に吐出した糊１４を均等に伸ばすことができなくなり、製本した用紙１０の表面の一部に糊による凹凸ができるおそれがあった。
【０００９】
本発明は上記の点に鑑みてなされたもので、用紙に吐出された接着剤を伸ばす接着剤伸ばし部材を洗浄することで良好な製本を達成するための接着剤伸ばし部材の洗浄装置及び洗浄方法を提供することを目的とするものである。
【課題を解決するための手段】
【００１０】
上記目的を達成するための本発明に係る接着剤伸ばし部材の洗浄装置は、用紙の上に吐出した接着材を用紙上で伸ばすための接着剤伸ばし部材に付着した接着剤を洗浄するものであって、水を吸着する素材から成る接着剤拭取り部材と、その接着剤拭取り部材を供給する供給手段と、その供給手段から供給された前記接着剤拭取り部材を取り入れる取入手段と、前記供給手段から前記取入手段へ前記接着剤拭取り部材を移動させるための移動手段と、前記供給手段と前記取入手段との間で前記接着剤拭取り部材に水を付与する水付与手段と、水を付与した箇所の前記接着剤拭取り部材に前記接着剤伸ばし部材を接触させた状態で前記接着剤伸ばし部材を回転させる第一作動手段を有するようにしたものである。
【００１１】
本発明の接着剤伸ばし部材の洗浄装置は、前記接着剤伸ばし部材にプーリを固定し、前記第一作動手段が前記プーリに接触するプーリと、そのプーリを回転させる駆動手段とから成るようにしたものである。本発明の洗浄装置は、前記接着剤伸ばし部材が前記接着剤拭取り部材と接触した状態で回転する位置において前記接着剤拭取り部材の下側に前記接着剤拭取り部材を前記接着剤伸ばし部材とで挟持する拭取り用支持台を備えるようにしたものである。本発明の洗浄装置は、前記水付与手段が、水を収容した容器と、水に接触する第一ローラと、水に直接接触しないものであって一方をその第一ローラと直接または間接に接触し他方を前記接着剤拭取り部材の下面に接触する第二ローラとから成るようにしたものである。本発明の洗浄装置は、前記水付与手段と前記供給手段との間における前記接着剤拭取り部材に前記接着剤伸ばし部材を接触させた状態で前記接着剤伸ばし部材を回転させる第二作動手段を有するようにしたものである。本発明の洗浄装置は、前記接着剤伸ばし部材にプーリを固定し、前記第二作動手段が前記プーリに接触するプーリと、そのプーリを回転させる駆動手段とから成るようにしたものである。本発明の洗浄装置は、前記水付与手段と前記供給手段との間における前記接着剤拭取り部材に前記接着剤伸ばし部材を接触させた状態で前記接着剤伸ばし部材を回転させる位置において、前記接着剤拭取り部材の下側に前記接着剤拭取り部材を前記接着剤伸ばし部材とで挟持する乾燥用支持台を備えるようにしたものである。
【００１２】
本発明に係る接着剤伸ばし部材の洗浄方法は、用紙の上に吐出した接着材を用紙上で伸ばすための接着剤伸ばし部材に付着した接着剤を洗浄するものであって、水を吸着する素材から成る接着剤拭取り部材に水を付着させ、水を付着させた箇所の接着剤拭取り部材に前記接着剤伸ばし部材を接触させた状態で前記接着剤伸ばし部材を回転させると共に前記接着剤拭取り部材を前記接着剤伸ばし部材に対して移動させるようにしたものである。
【００１３】
本発明に係る接着剤伸ばし部材の洗浄方法は、前記接着剤伸ばし部材が前記接着剤拭取り部材と接触した状態で回転する位置において、前記接着剤拭取り部材の下側に備えた拭取り用支持台と前記接着剤伸ばし部材とで前記接着剤拭取り部材を挟持するようにしたものである。本発明に係る洗浄方法は、前記接着剤拭取り部材に水を付着させる手段が、水を収容した容器と、水に接触するローラと、そのローラと直接または間接に接触し前記接着剤拭取り部材の下面に接触するローラとから成るものである。本発明に係る洗浄方法は、水を付着させた箇所の接着剤拭取り部材に前記接着剤伸ばし部材を接触させた状態で前記接着剤伸ばし部材を回転させた後、前記接着剤拭取り部材のうちの水を未だ付着させない箇所に前記接着剤伸ばし部材を接触させ、その接触位置で前記接着剤伸ばし部材を回転させると共に前記接着剤拭取り部材を前記接着剤伸ばし部材に対して移動させるようにしたものである。本発明に係る洗浄方法は、前記接着剤伸ばし部材が前記水付与手段と前記供給手段との間で前記接着剤拭取り部材と接触した状態で回転する位置において、前記接着剤拭取り部材の下側に備えた乾燥用支持台と前記接着剤伸ばし部材とで前記接着剤拭取り部材を挟持する乾燥用支持台を備えるようにしたものである。
【発明の効果】
【００１４】
水を吸着させた接着剤拭取り部材にスキージローラを接触させ、その接触状態を保ちながらスキージローラを回転させると共に、回転するスキージローラに対して接着剤拭取り部材を相対的に移動させる。このように、スキージローラと水を含んだ接着剤拭取り部材とを回転と相対的移動とで接触させることによって、スキージローラに付着している接着剤を接着剤拭取り部材に付着させて除去することができる。なお、接着剤拭取り部材をスキージローラと拭取り用支持台とによって挟持することで、スキージローラからの接着剤をより効率良く除去することができる。
【００１５】
スキージローラから接着剤を除去した後、接着剤拭取り部材における未だ水を吸着させない箇所にスキージローラを接触させ、その接触状態を保ちながらスキージローラを回転させると共に、回転するスキージローラに対して接着剤拭取り部材を相対的に移動させる。これによって、接着剤の除去の際にスキージローラに付着した水を容易に除去することができ、次の製本作業を直ちに行うことができる。なお、接着剤拭取り部材をスキージローラと乾燥用支持台とによって挟持することで、スキージローラからの水をより効率良く除去することができる。
【００１６】
接着剤拭取り部材に水を付加する手段の構成部材として、水に浸かる第一ローラと、その第一ローラと直接または間接的に接触して水に浸からない第二ローラとを備える。接着剤拭取り部材に水を付加する場合には、第一ローラを回転させて、その表面に付着した水を第二ローラを経由して接着剤拭取り部材に水を付加する。この結果、簡単な構造で必要な時に接着剤拭取り部材に必要な水を付加することが可能となる。
【発明を実施するための最良の形態】
【００１７】
次に本発明を図面に基づいて説明する。図１は本発明に係る製本装置に使用する接着剤伸ばし部材の洗浄装置の正面図、図２は図１の洗浄装置の要部平面図、図３は図１並びに図２の洗浄装置における接着剤伸ばし部材の駆動装置の要部斜視図である。図１，図２及び図３において図４と同一符号は同一部材を示す。接着剤伸ばし部材の洗浄装置は、供給手段としての供給リール２０と、取入手段としての巻取りリール２２と、それらの供給リール２０と巻取りリール２２との間に巻き掛けられる接着剤拭取り部材２４と、接着剤拭取り部材２４を巻取りリール２２に巻き取るための移動手段２６とを有する。接着剤拭取り部材２４は、接着剤伸ばし部材としてのスキージローラ１６の表面に付着した糊（接着剤）を拭取るもので、柔軟で水を吸着できる繊維や紙等を素材とするものである。接着剤拭取り部材２４は、供給リール２０から巻取りリール２２に至るまでの間に、先ず乾燥用支持台２８に接触して進行角度が変えられ、次に拭取り用支持台３０に接触して進行角度が変えられる。乾燥用支持台２８の上面と拭取り用支持台３０の上面とは同一水平高さに配置され、それによって乾燥用支持台２８と拭取り用支持台３０との間に掛けられる接着剤拭取り部材２４は水平位置になるように設定される。なお、移動手段２６は接着剤拭取り部材２４を移動させるものであれば良く、その取付け位置は供給リール２０側に限るものではない。
【００１８】
乾燥用支持台２８と拭取り用支持台３０との間に、接着剤拭取り部材２４に水を付与する水付与手段３２を配置する。水付与手段３２は、水を溜める容器３４と、容器３４内に備えられる第一ローラ３６と、その第一ローラ３６の上方に位置ししかもその第一ローラ３６と接触する第二ローラ３８とを有する。容器３４の内部へは、図示しない水タンクから必要に応じて水が供給される。第一ローラ３６の大半は容器３４内の水面３９より下に位置するように配置され、第二ローラ３８は水面３９より上位に位置するように配置される。第一ローラ３６は図示しない駆動手段によって回転させられ、その第一ローラ３６の回転によって第二ローラ３８が回転させられる。第二ローラ３８は接着剤拭取り部材２４の下面に接触するよう設置される。第一ローラ３６と第二ローラ３８は金属を素材とするものであるが、特に素材は限定するものではない。なお、第一ローラ３６と第二ローラ３８との間に他のローラを介在させても良い。乾燥用支持台２８と拭取り用支持台３０との間の接着剤拭取り部材２４の下面には、前記第二ローラ３８だけでなく、必要な位置に支持台４０を接触させて、乾燥用支持台２８と拭取り用支持台３０との間の接着剤拭取り部材２４が下方に撓まないようにする。
【００１９】
図２及び図３に示すように、本発明に係る接着剤伸ばし部材の洗浄装置では、スキージローラ１６を回転させる駆動装置として、駆動手段としてのモータ４２と、そのモータ４２の先端に固定される駆動歯車４４と、その第一歯車４４に噛み合わされる歯車ベルト４６とを有する。駆動装置は更に、歯車ベルト４６に距離を開けて噛み合わされる第一歯車４８並びに第二歯車５０と、第一歯車４８と同軸に固定される第一プーリ５２と、第二歯車５０と同軸に固定される第二プーリ５４とを有する。モータ４２が駆動すると駆動歯車４４を介して歯車ベルト４６を移動させ、その歯車ベルト４６を介して第一歯車４８並びに第一プーリ５２と第二歯車５０並びに第二プーリ５４とを回転させる。この駆動装置においては、モータ４２と駆動歯車４４と歯車ベルト４６と第一歯車４８と第一プーリ５２とで、外表面に接着剤が付着した状態の接着剤伸ばし部材２４を回転させる第一作動手段を構成する。第一作動手段はこの構成部材に限るものではない。この駆動装置においては、モータ４２と駆動歯車４４と歯車ベルト４６と第二歯車５０並びに第二プーリ５４とで、接着剤の除去によって外表面に水が付着した状態の接着剤伸ばし部材２４を回転させる第二作動手段を構成する。第二作動手段はこの構成部材に限るものではない。
【００２０】
図２に示すように、第一プーリ５２及び第二プーリ５４は、接着剤拭取り部材２４の横幅の外縁５８より外側に位置している。第一プーリ５２は前記拭取り用支持台３０の長手方向の延長線上に位置するように設定されており、第二プーリ５４は前記乾燥用支持台２８の長手方向の延長線上に位置するように設定されている。前記スキージローラ１６の一端には第三プーリ５６が固定されており、その第三プーリ５６はスキージローラ１６が接着剤拭取り部材２４の上方を移動した際に、移動位置によって第一プーリ５２や第二プーリ５４と接触するよう設定される。
【００２１】
次に、スキージローラ１６の洗浄について説明する。例えば糊の伸ばし作業を１回終える度に、スキージローラ１６を図示しない移送手段によって、図４のＸ−Ｘ線位置を越えて矢印Ａ方向に移動させる。Ｘ−Ｘ線位置を越えて矢印Ａ方向に移動させられている状態では、スキージローラ１６は回転させられることはない。スキージローラ１６が図４においてＸ−Ｘ線位置を越えると、図２に示すモータ４２が作動して、駆動歯車４４で歯車ベルト４６を移動させ、第一歯車４８と第二歯車５０とを介して第一プーリ５２と第二プーリ５４とを回転させる。
【００２２】
スキージローラ１６の矢印Ａ方向への移動と同時に、移動手段２６が巻取りリール２２を回転させ、接着剤拭取り部材２４を供給リール２０側から巻取りリール２２側に巻取りを開始する。それと同時に、図示しない駆動手段が第一ローラ３６を回転させ、その第一ローラ３６と接触する第二ローラ３８を回転させる。第二ローラ３８の回転方向は、接着剤拭取り部材２４の巻取り方向と同じ方向とする。第一ローラ３６は容器３４内の水と接触しているので、その第一ローラ３６の回転によって水が第一ローラ３６の表面に付着して移動し、その第一ローラ３６の表面に付着した水が第一ローラ３６と接触する第二ローラ３８に付着し、第二ローラ３８に付着した水が繊維や紙等を素材とする水を吸着する接着剤拭取り部材２４に付与する。なお、第一ローラ３６の回転数や第一ローラ３６と第二ローラ３８との間の隙間距離を調節することによって、第二ローラ３８から接着剤拭取り部材２４に付与する水の量を調整することができる。第二ローラ３８と接触して水を吸着した箇所の接着剤拭取り部材２４は、その後、拭取り用支持台３０側に向けて移動する。
【００２３】
スキージローラ１６が拭取り用支持台３０の上まで移動した時に、スキージローラ１６は拭取り用支持台３０の上面に接触しながら移動する接着剤拭取り部材２４と接触する。スキージローラ１６が拭取り用支持台３０の上まで移動した状態では、接着剤拭取り部材２４はスキージローラ１６と拭取り用支持台３０とによって挟持された状態となる。スキージローラ１６が拭取り用支持台３０の上まで移動した時には、第二ローラ３８から水を吸着した箇所の接着剤拭取り部材２４は、拭取り用支持台３０の上まで移動している。一方、スキージローラ１６が拭取り用支持台３０の上まで移動した時に、図２に示すように、スキージローラ１６に固定されている第三プーリ５６が、モータ４２で回転させられる第一プーリ５２と接触する。これによって、第一プーリ５２の回転が第三プーリ５６に伝えられてスキージローラ１６が回転させられる。スキージローラ１６はこの位置においてＡ方向の移動を暫く停止し、回転状態を保ちながらその位置に暫く留まるように設定される。
【００２４】
この結果、スキージローラ１６は、水を含んだ状態でスキージローラ１６に対して相対的に移動する接着剤拭取り部材２４と接触しながら回転する。これによって、スキージローラ１６の表面に付着していた糊が除去され、スキージローラ１６が洗浄される。スキージローラ１６の表面から除去された糊は接着剤拭取り部材２４に付着し、糊が付着した箇所の接着剤拭取り部材２４は巻取りリール２２に巻き取られる。スキージローラ１６と拭取り用支持台３０とで接着剤拭取り部材２４を挟持することで、スキージローラ１６に付着している糊を効率良く除去することができる。
【００２５】
拭取り用支持台３０の位置において接着剤拭取り部材２４と所定時間回転接触した後、図示しない移送手段によってスキージローラ１６（第三プーリ５６）は図１で更にＡ方向に移動させられる。スキージローラ１６が乾燥用支持台２８の上まで移動した時に、スキージローラ１６に固定されている第三プーリ５６は、モータ４２で回転させられる第二プーリ５４と接触する。第三プーリ５６が第二プーリ５４と接触することでスキージローラ１６が再び回転させられる。第三プーリ５６が第一プーリ５２から離れて第二プーリ５４と接触するまでの間は、接着剤拭取り部材２４の移動を停止している。
【００２６】
第三プーリ５６が第二プーリ５４と接触する位置では、接着剤拭取り部材２４はスキージローラ１６と乾燥用支持台２８とによって挟持された状態となる。第三プーリ５６が第二プーリ５４と接触した位置において、スキージローラ１６のＡ方向の移動は停止され、スキージローラ１６は回転状態を保ってその位置に暫く留まるように設定される。この結果、スキージローラ１６は、水を含まない箇所の接着剤拭取り部材２４と接触しながら回転する。これによって、拭取り用支持台３０の位置で洗浄されたスキージローラ１６の表面に付着する水が除去され、スキージローラ１６が効率良く短時間で乾燥される。スキージローラ１６の表面から除去された水は、接着剤拭取り部材２４に付着して巻取りリール２２側に移動させられる。スキージローラ１６が乾燥用支持台２８の位置で乾燥された後、図示しない移送手段によってスキージローラ１６は上昇させられ、その後、スキージローラ１６はＡ方向の反対方向に移動させられ、製本作業開始位置まで戻される。
【００２７】
このように本発明では、糊の伸ばし作業を１回終える度に、糊が付着したスキージローラ１６を、水を含んで移動する接着剤拭取り部材２４に回転しながら接触させることによって、スキージローラ１６から糊を容易に除去することができる。これによって、スキージローラ１６に糊がダマになって付着するのを防止して良好な製本を行うことができる。スキージローラ１６から糊を除去した後に、スキージローラ１６の表面に付着する水を水を含まない箇所の接着剤拭取り部材２４に接触させることによって、スキージローラ１６から直ちに水を除去することができ、スキージローラ１６による次回の糊の伸ばし作業を直ちに行うことができる。
【００２８】
なお、糊の伸ばし作業を１回行う毎にスキージローラ１６を洗浄するとしたが、数回の糊の伸ばし作業を行う毎にスキージローラ１６を洗浄するようにしても良い。
【図面の簡単な説明】
【００２９】
【図１】本発明に係る製本装置に使用する接着剤伸ばし部材の洗浄装置の構成図である。
【図２】図１の洗浄装置の要部平面図である。
【図３】図１並びに図２の洗浄装置における接着剤伸ばし部材の駆動装置の要部斜視図である。
【図４】用紙の上に吐出された糊をスキージローラで用紙の上に伸ばす状態を示す説明図である。
【符号の説明】
【００３０】
１０  用紙
１４  糊
１６  スキージローラ
２０  供給リール
２２  巻取りリール
２４  接着剤拭取り部材
２６  移動手段
２８  乾燥用支持台
３０  拭取り用支持台
３２  水付与手段
３４  容器
３６  第一ローラ
３８  第二ローラ
４２  モータ
４４  駆動歯車
４６  歯車ベルト
４８  第一歯車
５０  第二歯車
５２  第一プーリ
５４  第二プーリ
５６  第三プーリ
【図１】
2005119025.tif 000003
【図２】
2005119025.tif 000004
【図３】
2005119025.tif 000005
【図４】
2005119025.tif 000006